(57)【要約】【課題】  アーチェリー用照準器の弓に対する上下の位置の調整を、矢の射出時の振動が小さいエクステンションバーの後端側で行うことにより、アーチェリー用照準器の位置の調整機構を構成する部品に緩みやズレが生じることを防止し、照準器による照準の正確性を保持するアーチェリー用照準器取付装置を得る。【解決手段】  アーチェリー用照準器取付装置５に、エクステンションバー９を仮想回転軸Ａを軸心として回転させ、エクステンションバー９の先端側９ａの位置を一方のリム４ａ側又は他方のリム４ｂ側へ変位可能とする位置決め機構１１と、位置決め機構１１により変位されたエクステンションバー９を変位位置で支持体１０に固定する固定機構１２とを備えさせた。【選択図】    図７
2020118380.tif 000002
【特許請求の範囲】
【請求項１】
ハンドルと、前記ハンドルに設けられる一対のリムとを備えたアーチェリーの弓部にアーチェリー用照準器を取り付けるアーチェリー用照準器取付装置であって、
先端側に前記照準器が取り付けられるエクステンションバーと、
前記ハンドルに取り付けられ前記エクステンションバーの後端側を支持する支持体と、  前記支持体に支持された前記エクステンションバーを、前記エクステンションバーの後端側或いは後端側の延長線上に設定された仮想回転軸を軸心として回転させ、前記エクステンションバーの先端側の位置を一方の前記リム側又は他方の前記リム側へ変位可能とする位置決め機構と、
前記位置決め機構により変位された前記エクステンションバーを変位位置で前記支持体に固定する固定機構とを備えていることを特徴とするアーチェリー用照準器取付装置。
【請求項２】
前記支持体は、支持板部の両側に脚部を有する略コ字状の板状枠体からなり、前記脚部により前記支持板部と前記ハンドルとの間に前記エクステンションバーの後端側を挿入する空間が形成され、前記支持板部の前記空間側にある内面が前記エクステンションバーを支持する支持面となっており、
前記位置決め機構は、前記支持体となる前記板状枠体の前記支持面に設けられ、前記仮想回転軸から放射方向に延在し、前記エクステンションバーの回転方向に一定のピッチで形成された第１歯部と、前記エクステンションバーに設けられ前記第１歯部に噛合可能に形成された第２歯部とで構成されており、
前記固定機構は、前記板状枠体の前記支持面に形成された穴部と、前記板状枠体の前記支持面の外面側から前記穴部に挿入される雄ねじ部と、前記エクステンションバーの後端側に形成され前記雄ねじ部と螺合する雌ねじ部とで構成され、前記雄ねじ部を前記雌ねじ部に螺合することにより、前記板状枠体の前記支持面に前記エクステンションバーの後端側を締め付け固定するようになっていることを特徴とする請求項１に記載のアーチェリー用照準器取付装置。
【請求項３】
前記第２歯部は、前記エクステンションバーと別体として構成され、前記エクステンションバーの後端側に取り付けられる板状歯部体に形成されており、前記板状歯部体は、前記エクステンションバーに形成されている前記雌ねじ部と連通し、且つ前記雄ねじ部が挿入可能な貫通孔が形成されていることを特徴とする請求項２に記載のアーチェリー用照準器取付装置。
【請求項４】
前記仮想回転軸は、前記エクステンションバーの後端側の延長線上に設定されており、前記板状枠体の前記支持面に形成された前記穴部は、前記仮想回転軸を軸心として回転する前記エクステンションバーの回転方向に沿った弧状の長穴に形成されていることを特徴とする請求項２又は３に記載のアーチェリー用照準器取付装置。
【請求項５】
前記仮想回転軸は前記エクステンションバーの前記雌ねじ部の中心の位置に設定されており、前記板状枠体の前記支持面に形成された前記穴部は、前記穴部に挿入された前記雄ねじ部が前記穴部の略中心で回転可能な形状に形成されていることを特徴とする請求項２又は３に記載のアーチェリー用照準器取付装置。
【請求項６】
前記支持体は、内部に前記エクステンションバーを挿入可能な断面略矩形状の筒状枠体からなり、対向する一対の筒壁部のうちの一方の筒壁部が前記ハンドルに固定されて配置され、前記一方の筒壁部の内面が前記エクステンションバーを支持する支持面となっており、
前記位置決め機構は、前記支持体となる前記筒状枠体の前記支持面に設けられ、前記仮想回転軸から放射方向に延在し、前記エクステンションバーの回転方向に一定のピッチで形成された第１歯部と、前記エクステンションバーに設けられ前記第１歯部に噛合可能に形成された第２歯部とで構成されており、
前記固定機構は、前記筒状枠体の他方の筒壁部に設けられた雌ねじ部と、前記雌ねじ部に螺合される雄ねじ部とで構成され、前記雄ねじ部を雌ねじ部に螺合することにより、前記雄ねじ部で前記筒状枠体の前記支持面に前記エクステンションバーの後端側を押圧して締め付け固定するようになっていることを特徴とする請求項１に記載のアーチェリー用照準器取付装置。
【請求項７】
前記第２歯部は、前記エクステンションバーと別体として構成され、前記エクステンションバーの後端側に取り付けられる板状歯部体に形成されていることを特徴とする請求項６に記載のアーチェリー用照準器取付装置。
【請求項８】
前記仮想回転軸は、前記エクステンションバーの後端側の延長線上に設定されており、前記筒状枠体の他方の筒壁部に、前記仮想回転軸を軸心として回転する前記エクステンションバーの回転方向に沿った弧状の長穴からなる穴部が形成され、前記他方の筒壁部に設けられた前記雌ねじ部は、前記他方の筒壁部と別体として構成され、前記他方の筒壁部の内面に当接可能なフランジ部と、該フランジ部から突出し前記他方の筒壁部に形成された弧状の前記穴部に沿って移動自在に嵌合する筒状雌ねじ体とで形成されており、前記他方の筒壁部の内面側に配置され、筒状雌ねじ体を前記穴部から突出させるようにして前記他方の筒壁部に設けられていることを特徴とする請求項６又は７に記載のアーチェリー用照準器取付装置。
【請求項９】
前記仮想回転軸は、前記筒状枠体の他方の筒壁部に設けられた前記雌ねじ部上に設定されていることを特徴とする請求項６又は７に記載のアーチェリー用照準器取付装置。
【発明の詳細な説明】
【技術分野】
【０００１】
本発明は、アーチェリー用照準器を弓部から前方に延在した位置に配置するためのアーチェリー用照準器取付装置に関する。
【背景技術】
【０００２】
アーチェリーでは、矢の照準を正確に合わせるためのアーチェリー用照準器が弓部に取り付けられている。弓部へのアーチェリー用照準器の取り付けにあっては、射手が的に対し正確に照準を合わせることができるように、照準器を射手の目から的方向に所定の距離をとった位置に配置するためのアーチェリー用照準器取付装置が使用されている。アーチェリー用照準器取付装置としては、先端側に照準器が取り付けられ、後端側が弓部に固定されるエクステンションバーを有するものが知られている。
【０００３】
近年、アーチェリー用照準器取付装置におけるエクステンションバーの先端側に取り付けられる照準器にあっては、一般に、的に合わせるサイトピンを持つ照準器本体と、照準器本体を上下方向に移動可能に支持し且つ照準器本体の上下方向の位置を調整する位置決め機構を持つエレベーションバーを備えたものが多く使用されている（例えば、特許文献１参照。）。
【０００４】
このようなアーチェリー用照準器では、照準器本体をエレベーションバーに沿って上下に移動させることにより、的までの距離に応じて照準器本体の上下の位置を調整し、的までの距離に適した矢の射角が得られるようになっている。
【先行技術文献】
【特許文献】
【０００５】
【特許文献１】特開２００７−３１５７４６号公報
【発明の概要】
【発明が解決しようとする課題】
【０００６】
特許文献１に記載されたようなアーチェリー用照準器取付装置により弓部にアーチェリー用照準器を配置したアーチェリーでは、矢を放った時の弓部の復元に伴う衝撃を受けて、アーチェリー用照準器が取り付けられているエクステンションバーの先端が大きく振動する。この結果、アーチェリー用照準器を構成する照準器本体と、位置決め機構を持つエレベーションバーの間に緩みやズレが生じ、エレベーションバーにおける照準器本体の位置がずれてしまい、的までの距離と照準器本体により調整された矢の射角が合わなくなり矢を的に正確に当てることが困難になる場合があるといった問題がある。
【０００７】
また、受けた振動により、アーチェリー用照準器を構成する照準器本体と、位置決め機構を持つエレベーションバーに擦れや衝突が起こり異音を発生させることがあり、高い集中力を必要とする射手に大きなストレスを与えることになるといった問題がある。
【０００８】
このような問題を解消するものとして、アーチェリー用照準器の小型化、軽量化を図り、エクステンションバーの先端の振動を小さくすることが考えられるが、競技種目毎の距離に合わせた矢の射角の調整には、エレベーションバーに照準器本体を上下に移動させる十分な長さが必要であり、アーチェリー用照準器を小型、軽量にすることは難しいといった問題がある。
【０００９】
本発明者は、このような問題を解決するため試験研究を重ねた結果、アーチェリー用照準器の弓に対する上下の位置の調整を、矢の射出時の振動が小さいエクステンションバーの後端側で行うことに着目し、本発明を成すに至った。
【００１０】
本発明の目的は、アーチェリー用照準器の弓に対する上下の位置の調整を、矢の射出時の振動が小さいエクステンションバーの後端側で行うことにより、アーチェリー用照準器の位置の調整機構を構成する部品に緩みやズレが生じることを防止し、照準器による照準の正確性を保持するアーチェリー用照準器取付装置を提供することにある。
【課題を解決するための手段】
【００１１】
上記の目的を達成するために、請求項１に記載の発明は、ハンドルと、前記ハンドルに設けられる一対のリムとを備えたアーチェリーの弓部にアーチェリー用照準器を取り付けるアーチェリー用照準器取付装置であって、先端側に前記アーチェリー用照準器が取り付けられるエクステンションバーと、前記ハンドルに取り付けられ前記エクステンションバーの後端側を支持する支持体と、前記支持体に支持された前記エクステンションバーを、前記エクステンションバーの後端側或いは後端側の延長線上に設定された仮想回転軸を軸心として回転させ、前記エクステンションバーの先端側の位置を一方の前記リム側又は他方の前記リム側へ変位可能とする位置決め機構と、前記位置決め機構により変位された前記エクステンションバーを変位位置で前記支持体に固定する固定機構とを備えていることを特徴とする。
【００１２】
請求項１に記載の発明によれば、前記ハンドルに固定された前記支持体に前記エクステンションバーの後端側を支持させ、前記位置決め機構により前記エクステンションバーを、前記エクステンションバーの後端側或いは後端側の延長線上に設定された仮想回転軸を軸心として回転させ、前記エクステンションバーの先端側の位置を一方の前記リム側又は他方の前記リム側へ変位させ、前記固定機構により前記エクステンションバーを変位位置で前記支持体に固定するので、エクステンションバーの先端側に取り付けられるアーチェリー用照準器の弓に対する上下の位置の調整を、矢の射出時の振動が小さいエクステンションバーの後端側で行うことができる。
これにより、矢を放ったときの衝撃で前記エクステンションバーが振動しても、アーチェリー用照準器の位置の調整機構である前記位置決め機構および前記固定機構を構成する部品に緩みやズレが発生することを効果的に防止でき、また、前記位置決め機構および前記固定機構を構成する部品の緩みやズレによる部品同士の擦れや衝突を防止して異音が発生することを防止できる。
また、前記エクステンションバーの後端側に前記位置決め機構および前記固定機構が配置されているので、前記エクステンションバーの先端側に取り付ける前記アーチェリー用照準器にエレベーションバーを設ける必要がなく、アーチェリー用照準器の小型、軽量化が図れ、これにより前記エクステンションバーの先端側の振動を小さくし、前記照準器が受ける振動による影響を小さくすることができる。
また、射角の調整範囲の拡大や射角の微調整のためにアーチェリー用照準器にエレベーションバーを備えるような場合でも、短く小型のエレベーションバーで対応することができ、アーチェリー用照準器の重量も従来のアーチェリー用照準器に比べ小型で軽量となり、その分エレベーションバーの振動も小さく抑えられ、アーチェリー用照準器に緩みやズレ等の発生や、矢の射出時の異音の発生を防止することができる。
【００１３】
請求項２に記載の発明は、請求項１に記載の、前記支持体は、支持板部の両側に脚部を有する略コ字状の板状枠体からなり、前記脚部により前記支持板部と前記ハンドルとの間に前記エクステンションバーの後端側を挿入する空間が形成され、前記支持板部の前記空間側にある内面が前記エクステンションバーを支持する支持面となっており、前記位置決め機構は、前記支持体となる前記板状枠体の前記支持面に設けられ、前記仮想回転軸から放射方向に延在し、前記エクステンションバーの回転方向に一定のピッチで形成された第１歯部と、前記エクステンションバーに設けられ前記第１歯部に噛合可能に形成された第２歯部とで構成されており、前記固定機構は、前記板状枠体の前記支持面に形成された穴部と、前記板状枠体の前記支持面の外面側から前記穴部に挿入される雄ねじ部と、前記エクステンションバーの後端側に形成され前記雄ねじ部と螺合する雌ねじ部とで構成され、前記雄ねじ部を前記雌ねじ部に螺合することにより、前記板状枠体の前記支持面に前記エクステンションバーの後端側を締め付け固定するようになっていることを特徴とする。
【００１４】
請求項２に記載の発明によれば、前記支持体は、支持板部の両側に脚部を有する略コ字状の板状枠体からなり、前記脚部が前記ハンドルに固定されて配置され、前記支持板部と前記ハンドルとの間に前記エクステンションバーの後端側を挿入する空間が形成され、前記支持板部の内面が前記エクステンションバーを支持する支持面となっており、前記位置決め機構は、前記支持体となる前記板状枠体の前記支持面に設けられ、前記仮想回転軸から放射方向に延在し、前記エクステンションバーの回転方向に一定のピッチで形成された第１歯部と、前記エクステンションバーに設けられ、前記第１歯部に噛合可能に形成された第２歯部とで構成されているので、第１歯部に噛み合わせる第２歯部の噛み合わせ位置を変えることにより、前記エクステンションバーを前記仮想回転軸を軸心とした回転方向における所定の位置に容易に且つ確実に変位させることができる。
そして、前記固定機構は、前記板状枠体の前記支持面に形成された穴部と、前記板状枠体の前記支持面の外面側から前記穴部に挿入される雄ねじ部と、前記エクステンションバーの後端側に形成され前記雄ねじ部と螺合する雌ねじ部とで構成されているので、雄ねじ部を雌ねじ部に螺合して締め付けることにより、変位させた前記前記エクステンションバーの後端側を変位位置で前記板状枠体の前記支持面に前記エクステンションバーの後端側を確実に固定することができる。
【００１５】
請求項３に記載の発明は、請求項２に記載の、前記第２歯部は、前記エクステンションバーと別体として構成され、前記エクステンションバーの後端側に取り付けられる板状歯部体に形成されており、前記板状歯部体は、前記エクステンションバーに形成されている前記雌ねじ部と連通し、且つ前記雄ねじ部が挿入可能な貫通孔が形成されていることを特徴とする。
【００１６】
請求項３に記載の発明によれば、前記第２歯部は、前記エクステンションバーと別体として構成され、前記エクステンションバーの後端側に取り付けられる板状歯部体に形成されているので、前記エクステンションバーに第２歯部を設けるための切削等の加工を施す必要がなく、且つ、第２歯部が摩耗した場合には、前記板状歯部体を交換することにより新しい第２歯部を容易に前記エクステンションバーに設けることができる。
また、前記板状歯部体は、前記エクステンションバーに形成されている前記雌ねじ部と連通し、且つ前記雄ねじ部が挿入可能な貫通孔が形成されているので、前記雄ねじ部を板状歯部体の前記貫通孔に通し、前記エクステンションバーに形成されている前記雌ねじ部に螺合させることにより、板状歯部体を前記エクステンションバーに一体として固定することができる。
【００１７】
請求項４に記載の発明は、請求項２又は３に記載の、前記仮想回転軸は、前記エクステンションバーの後端側の延長線上に設定されており、前記板状枠体の前記支持面に形成された前記穴部は、前記仮想回転軸を軸心として回転する前記エクステンションバーの回転方向に沿った弧状の長穴に形成されていることを特徴とする。
【００１８】
請求項４に記載の発明によれば、前記仮想回転軸は、前記エクステンションバーの後端側の延長線上に設定されており、前記板状枠体の前記支持面に形成された前記穴部は、前記仮想回転軸を軸心として回転する前記エクステンションバーの回転方向に沿った弧状の長穴に形成されているので、前記エクステンションバーの後端側の延長線上に設定された前記仮想回転軸を軸心として回転する前記エクステンションバーの前記雌ねじ部を、前記板状枠体の前記支持面に形成された前記穴部と連通した状態に置くことができ、回転により変位した前記エクステンションバーを変位位置で前記前記雄ねじ部により確実に締め付け固定することができる。
【００１９】
請求項５に記載の発明は、請求項２又は３に記載の、前記仮想回転軸は前記エクステンションバーの前記雌ねじ部の中心の位置に設定されており、前記板状枠体の前記支持面に形成された前記穴部は、前記穴部に挿入された前記雄ねじ部が前記穴部の略中心で回転可能な形状に形成されていることを特徴とする。
【００２０】
請求項５に記載の発明によれば、前記仮想回転軸は前記エクステンションバーの前記雌ねじ部の中心の位置に設定されており、前記板状枠体の前記支持面に形成された前記穴部は、前記穴部に挿入された前記雄ねじ部が前記穴部の略中心で回転可能な形状に形成されているので、前記エクステンションバーを回転させて変位させる際、前記穴部から挿入された前記雄ねじ部による前記エクステンションバーの締め付けを緩め、前記雄ねじ部と前記雌ねじ部の螺合状態を保ったまま、前記第１歯部と前記第２歯部の噛み合わせを解き、前記雄ねじ部を軸に前記エクステンションバーを回転させて変位させることができ、前記エクステンションバーの位置調整を容易に行うことができる。
【００２１】
請求項６に記載の発明は、請求項１に記載の、前記支持体は、内部に前記エクステンションバーを挿入可能な断面略矩形状の筒状枠体からなり、対向する一対の筒壁部のうちの一方の筒壁部が前記ハンドルに固定されて配置され、前記一方の筒壁部の内面が前記エクステンションバーを支持する支持面となっており、前記位置決め機構は、前記支持体となる前記筒状枠体の前記支持面に設けられ、前記仮想回転軸から放射方向に延在し、前記エクステンションバーの回転方向に一定のピッチで形成された第１歯部と、前記エクステンションバーに設けられ前記第１歯部に噛合可能に形成された第２歯部とで構成されており、前記固定機構は、前記筒状枠体の他方の筒壁部に設けられた雌ねじ部と、前記雌ねじ部に螺合される雄ねじ部とで構成され、前記雄ねじ部を雌ねじ部に螺合することにより、前記雄ねじ部で前記筒状枠体の前記支持面に前記エクステンションバーの後端側を押圧して締め付け固定するようになっていることを特徴とする。
【００２２】
請求項６に記載の発明によれば、前記支持体は、内部に前記エクステンションバーを挿入可能な断面略矩形状の筒状枠体からなり、対向する一対の筒壁部のうちの一方の筒壁部が前記ハンドルに固定されて配置され、前記一方の筒壁部の内面が前記エクステンションバーを支持する支持面となっており、前記位置決め機構は、前記支持体となる前記筒状枠体の前記支持面に設けられ、前記仮想回転軸から放射方向に延在し、前記エクステンションバーの回転方向に一定のピッチで形成された第１歯部と、前記エクステンションバーに設けられ、前記第１歯部に噛合可能に形成された第２歯部とで構成されているので、第１歯部に噛み合わせる第２歯部の噛み合わせ位置を変えることにより、前記エクステンションバーを前記仮想回転軸を軸心とした回転方向における所定の位置に容易に且つ確実に変位させることができる。
そして、前記固定機構は、前記筒状枠体の他方の筒壁部に設けられた雌ねじ部と、前記雌ねじ部に螺合される雄ねじ部とで構成されているので、雄ねじ部材を雌ねじ部に螺合し前記エクステンションバーの後端側を締め付けることにより、変位させた前記エクステンションバーの後端側を変位位置で前記筒状枠体の前記支持面に前記エクステンションバーの後端側を確実に固定することができる。
【００２３】
請求項７に記載の発明は、請求項６に記載の、前記第２歯部は、前記エクステンションバーと別体として構成され、前記エクステンションバーの後端側に取り付けられる板状歯部体に形成されていることを特徴とする。
【００２４】
請求項７に記載の発明によれば、前記第２歯部は、前記エクステンションバーと別体として構成され、前記エクステンションバーの後端側に取り付けられる板状歯部体に形成されているので、前記エクステンションバーに第２歯部を設けるための切削等の加工を施す必要がなく、且つ、第２歯部が摩耗した場合には、前記板状歯部体を交換することにより新しい第２歯部を容易に前記エクステンションバーに設けることができる。
【００２５】
請求項８に記載の発明は、請求項６又は７に記載の、前記仮想回転軸は、前記エクステンションバーの後端側の延長線上に設定されており、前記筒状枠体の他方の筒壁部に、前記仮想回転軸を軸心として回転する前記エクステンションバーの回転方向に沿った弧状の長穴からなる穴部が形成され、前記他方の筒壁部に設けられた前記雌ねじ部は、前記他方の筒壁部と別体として構成され、前記他方の筒壁部の内面に当接可能なフランジ部と、該フランジ部から突出し前記他方の筒壁部に形成された弧状の前記穴部に沿って移動自在に嵌合する筒状雌ねじ体とで形成されており、前記他方の筒壁部の内面側に配置され、前記筒状雌ねじ体を前記穴部から突出させるようにして前記他方の筒壁部に設けられていることを特徴とする。
【００２６】
請求項８に記載の発明によれば、前記仮想回転軸は、前記エクステンションバーの後端側の延長線上に設定されており、前記筒状枠体の前記他方の筒壁部に、前記仮想回転軸を軸心として回転する前記エクステンションバーの回転方向に沿った弧状の長穴からなる穴部が形成され、前記他方の筒壁部に設けられた前記雌ねじ部は、前記他方の筒壁部と別体として構成され、前記他方の筒壁部の内面に当接可能なフランジ部と、該フランジ部から突出し前記他方の筒壁部に形成された弧状の前記穴部に沿って移動自在に嵌合する筒状雌ねじ体とで形成されており、前記他方の筒壁部の内面側に配置され、筒状雌ねじ体を前記穴部から突出させるようにして前記他方の筒壁部に設けられているので、前記エクステンションバーの回転による位置の変更に伴い、前記エクステンションバーの前記後端側上に、前記雌ねじ部を前記他方の筒壁部に形成されている弧状の長穴からなる穴部に沿って移動させることができ、前記エクステンションバーを変位位置で前記筒状枠体に確実に固定することができる。
【００２７】
請求項９に記載の発明は、請求項６又は７に記載の、前記仮想回転軸は、前記筒状枠体の他方の筒壁部に設けられた前記雌ねじ部上に設定されていることを特徴とする。
【００２８】
請求項９に記載の発明によれば、前記仮想回転軸は前記筒状枠体の他方の筒壁部に設けられた前記雌ねじ部上に設定されているので、前記エクステンションバーを回転させて変位させる際、前記エクステンションバーの位置の変位を容易に行うことができ、前記エクステンションバーの位置調整を容易に行うことができる。
【発明の効果】
【００２９】
本発明によれば、アーチェリー用照準器の弓に対する上下の位置の調整を、矢の射出時の振動が小さいエクステンションバーの後端側で行うことにより、アーチェリー用照準器の位置の調整機構を構成する部品に緩みやズレが生じることを防止し、照準器による照準の正確性を保持するアーチェリー用照準器取付装置を得ることができる。
【図面の簡単な説明】
【００３０】
【図１】本発明に係るアーチェリー用照準器取付装置を取り付けたアーチェリー用弓具の全体を示す概略図である。
【図２】本発明に係るアーチェリー用照準器取付装置の実施の形態の第１例を示す一部省略拡大正面図である。
【図３】図２に示すアーチェリー用照準器取付装置の一部省略拡大右側面図である。
【図４】図２に示すアーチェリー用照準器取付装置の分解説明図である。
【図５】図２に示すエクステンションバーの一部省略拡大正面図である。
【図６】図２に示す固定枠体の支持板部の内面側を示す説明図である。
【図７】図２に示すアーチェリー用照準器取付装置のエクステンションバーを回転させ上下方向に変位させ、変位位置に固定する状態を示す説明図である。
【図８】図７に示すエクステンションバーを上下方向に変位させ固定したときの第１歯部と第２歯部との噛み合わせ状態を示す説明図である。
【図９】本発明に係るアーチェリー用照準器取付装置の実施の形態の第２例を示す一部省略拡大正面図である。
【図１０】図９に示す支持体の斜視図である。
【図１１】本発明に係るアーチェリー用照準器取付装置の実施の形態の第３例を示す一部省略拡大右側面図である。
【図１２】図１１に示すアーチェリー用照準器取付装置の分解説明図である。
【図１３】図１１に示すエクステンションバーの一部省略拡大正面図である。
【図１４】図１３のＸ−Ｘ断面図である。
【図１５】図１１に示す筒状枠体の一方の筒壁部の内面側を示す説明図である。
【図１６】図１１に示す板状歯部体の斜視図である。
【図１７】図１１に示す雌ねじ部を示す斜視図である。
【図１８】図１１に示すアーチェリー用照準器取付装置のエクステンションバーを回転させ上下方向に変位させ、変位位置に固定する状態を示す説明図である。
【図１９】図１８に示すエクステンションバーを上下方向に変位させ固定したときの第１歯部と第２歯部との噛み合わせ状態を示す説明図である。
【図２０】本発明に係るアーチェリー用照準器取付装置の実施の形態の第４例を示す一部省略拡大正面図である。
【図２１】図２０に示す支持体の斜視図である。
【発明を実施するための形態】
【００３１】
以下、本発明に係るアーチェリー用エクステンションバーの実施の形態の第１例を、図面を参照して詳細に説明する。
図１乃至図８は本発明に係るアーチェリー用エクステンションバーの実施の形態の第１例を示し、図１は本発明に係るアーチェリー用照準器取付装置を取り付けたアーチェリー用弓具の全体を示す概略図、図２は第１例のアーチェリー用照準器取付装置を示す一部省略拡大正面図、図３は図２に示すアーチェリー用照準器取付装置の一部省略拡大右側面図、図４は図２に示すアーチェリー用照準器取付装置の分解説明図、図５は図２に示すエクステンションバーの一部省略拡大正面図、図６は図２に示す固定枠体の支持板部の内面側を示す説明図、図７は図２に示すアーチェリー用照準器取付装置のエクステンションバーを回転させ上下方向に変位させ、変位位置に固定する状態を示す説明図、図８は図７に示すエクステンションバーを上下方向に変位させ固定したときの第１歯部と第２歯部との噛み合わせ状態を示す説明図である。
【００３２】
アーチェリー用の弓具は、図１に示すように、弓部１と、ストリングス２から構成される。弓部１は射手が弓具を保持するハンドル３と、ハンドル３の上端と下端に設けられ、ストリングス２が掛止されるリム４ａ，４ｂとから構成されている。ハンドル部３にはアーチェリー用照準器取付装置５を介して、弓部１の前方に位置するようにアーチェリー用照準器６が取り付けられている。
【００３３】
なお、第１例では、アーチェリー用照準器６として、矢の射角の微調整のための従来よりも短いエレベーションバー７に、照準器本体８が摺動可能に取り付けられた小型のアーチェリー用照準器６を使用しているが、エレベーションバー７を備えないアーチェリー用照準器６を使用してもよい。
【００３４】
第１例のアーチェリー用照準器取付装置５は、図２に示すように、先端側９ａにアーチェリー用照準器６が取り付けられるエクステンションバー９と、ハンドル３に取り付けられエクステンションバー９の後端側９ｂを支持する支持体１０と、支持体１０に支持されたエクステンションバー９を、エクステンションバー９の後端側９ｂ或いは後端側９ｂの延長線Ｌ上に設定された仮想回転軸Ａを軸心として回転させ、エクステンションバー９の先端側９ａの位置を一方のリム４ａ側又は他方のリム４ｂ側へ変位可能とする位置決め機構１１と、位置決め機構１１により変位されたエクステンションバー９を変位位置で支持体１０に固定する固定機構１２とを備えている。
【００３５】
第１例のエクステンションバー９は、図５に示すように長尺の肉厚な板状部材からなり、後端側９ｂには、後に詳述する固定機構１２を構成する雌ねじ部１３が長手方向に複数形成されている。
【００３６】
エクステンションバー９の後端側９ｂを支持する支持体１０は、第１例では、支持板部１４の両側に脚部１５を有する略コ字状の板状枠体１６からなり、脚部１５をねじ部材１７によりハンドル３に固定することにより支持体１０がハンドル３に取り付けられている。そして、脚部１５により支持体１０となる板状枠体１６の支持板部１４とハンドル３との間にエクステンションバー９の後端側９ｂを挿入する空間Ｓが形成され、支持板部１４の空間Ｓ側にある内面がエクステンションバー９を支持する支持面１８となっている。
【００３７】
また、位置決め機構１１は、第１例では、支持体１０となる板状枠体１４の支持面１８に設けられ、仮想回転軸Ａから放射方向に延在し、エクステンションバー９の回転方向に一定のピッチで形成された第１歯部１９と、エクステンションバー９に設けられ第１歯部１９に噛合可能に形成された第２歯部２０とで構成されている。
【００３８】
また、固定機構１２は、第１例では、板状枠体１４の支持面１８に形成された穴部２１と、板状枠体１４の支持面１８の外面側から穴部２１に挿入される雄ねじ部２２と、エクステンションバー９の後端側９ｂに形成され雄ねじ部２２と螺合する雌ねじ部１３とで構成されている。
そして、雄ねじ部２２を雌ねじ部１３に螺合することにより、板状枠体１６の支持面１８にエクステンションバー９の後端側９ｂを引きつけるようにして締め付け固定するようになっている。
【００３９】
板状枠体１４の支持面１８に形成された穴部２１にあっては、仮想回転軸Ａを軸心として回転するエクステンションバー９の回転方向に沿った弧状の長穴に形成されている。
【００４０】
エクステンションバー９に設けられた第２歯部２０は、第１例では、エクステンションバー９と別体として構成され、エクステンションバー９の後端側９ｂに取り付けられる板状歯部体２３に形成されている。板状歯部体２３は、エクステンションバー９に形成されている雌ねじ部１３と連通し、且つ雄ねじ部２２が挿入可能な貫通孔２４が形成されている。また、板状歯部体２３には、エクステンションバー９との間での回転を阻止する回り止めを施してもよく、第１例では、回り止めとして板状歯部体２３の両側にエクステンションバー９の両側面に係合する係合片２３ａが形成されている。
なお、第１例では、第２歯部２０がエクステンションバー９と別体として構成されているが、エクステンションバー９に第２歯部２０を直接形成してもよい。
【００４１】
このように構成された第１例のアーチェリー用照準器取付装置５は、次のように使用される。
ハンドル３に取り付けられている支持体１０となる板状枠体１６の支持板部１４とハンドル３との間に形成される空間Ｓにエクステンションバー９の後端側９ｂを挿入し、仮想回転軸Ａから放射方向に延在しエクステンションバー９の回転方向に一定のピッチで支持面１８に形成された位置決め機構１１を構成する第１歯部１９に、第１歯部１９とともに位置決め機構１１を構成するエクステンションバー９に設けられた第２歯部２０を噛み合わせる。
【００４２】
そして、固定機構１２を構成する雄ねじ部２２を板状枠体１４の支持面１８に形成された穴部２１に支持面１８の外面側から挿入し、雄ねじ部２２とともに固定機構１２を構成するエクステンションバー９の後端側９ｂに形成された雌ねじ部１３に螺合し、板状枠体１６の支持面１８にエクステンションバー９の後端側９ａを引きつけるようにして締め付け固定する。
このようにして支持体１０にエクステンションバー９の後端側９ａを確実に固定することができる。
【００４３】
そして、エクステンションバー９を回転させて上下方向に位置を変位させる場合は、穴部２１から挿入した雄ねじ部２２によるエクステンションバー９の締め付けを緩め、第１歯部１９と第２歯部２０の噛み合わせを解き、第１歯部１９に噛み合わせる第２歯部２０の噛み合わせ位置を変えることにより、エクステンションバー９を仮想回転軸Ａを軸心とした回転方向における所定の位置に変位させることができる。
【００４４】
また、第１例では、エクステンションバー９に設けられた第２歯部２０は、エクステンションバー９と別体として構成され、エクステンションバー９の後端側９ｂに取り付けられる板状歯部体２３に形成されているので、エクステンションバー９に第２歯部２０を設けるための切削等の加工を施す必要がなく、また、第２歯部２０が摩耗した場合には、板状歯部体２３を交換することにより新しい第２歯部２０を容易に前記エクステンションバー９に設けることができる。
【００４５】
板状歯部体２３は、エクステンションバー９に形成されている雌ねじ部１３と連通し、且つ雄ねじ部２２が挿入可能な貫通孔２４が形成されているので、雄ねじ部２２を板状歯部体２３の貫通孔２４に通し、エクステンションバー９に形成されている雌ねじ部１３に螺合させることにより、板状歯部体１３をエクステンションバー９に一体として固定することができる。
【００４６】
また、エクステンションバー９の後端側９ｂに取り付けられる板状歯部体２３には、エクステンションバー９との間での回転を阻止する回り止めが施されており、回り止めとして、板状歯部体２３の両側に、エクステンションバー９の両側面に係合する係合片２３ａが形成されているので、板状歯部体１３とエクステンションバー９の確実な一体性が得られる。
【００４７】
また、第１例では、仮想回転軸Ａは、エクステンションバー９の後端側９ｂの延長線Ｌ上に設定されており、板状枠体１６の支持面１８に形成された穴部２１は、仮想回転軸Ａを軸心として回転するエクステンションバー９の回転方向に沿った弧状の長穴に形成されているので、エクステンションバー９の後端側９ｂの延長線Ｌ上に設定された仮想回転軸Ａを軸心として回転するエクステンションバー９の雌ねじ部１３を、板状枠体１６の支持面１８に形成された穴部２１と連通した状態に置くことができ、回転により変位したエクステンションバー９を変位位置で雄ねじ部２２によりで確実に締め付け固定することができる。
【００４８】
図９，図１０は、本発明に係るアーチェリー用照準器取付装置の実施の形態の第２例を示すものであり、図９は第２例のアーチェリー用照準器取付装置の一部省略拡大正面図、図１０は図９に示す支持体の斜視図である。
第２例のアーチェリー用照準器取付装置は、第１例のアーチェリー用照準器取付装置と基本構成において変わるところはなく、第１例と同一の構成については同一の符号を付してその説明を省略し、第１例と異なる構成についてのみ説明する。
【００４９】
第２例と第１例の主な違いは、仮想回転軸Ａの位置及び支持体１０となる板状枠体１６の支持面１８に形成された穴部２１の形状にある。
第２例では、仮想回転軸Ａはエクステンションバー９の雌ねじ部１３の中心の位置に設定されている。
雌ねじ部１３は  第１例と同様に、エクステンションバー９の長手方向に複数形成されており、複数の雌ねじ部１３の内から選択された１の雌ねじ部１３の中心の位置に仮想回転軸Ａを設定している。
また、板状枠体１４の支持面１８に形成された穴部２１は、穴部２１に挿入された雄ねじ部２２が穴部２１の略中心で回転可能な形状に形成されている。第１例の穴部２１は、図１０に示すように、雄ねじ部２２とほぼ同形状の円形に形成されている。
【００５０】
このように構成された第２例のアーチェリー用照準器取付装置５によれば、仮想回転軸Ａはエクステンションバー９の雌ねじ部１３の中心の位置に設定されており、板状枠体１４の支持面１８に形成された穴部２１は、穴部２１に挿入された雄ねじ部２２が穴部２１の略中心で回転可能な形状に形成されているので、穴部２１から挿入した雄ねじ部２によるエクステンションバー９の締め付けを緩め、雄ねじ部２２と雌ねじ部１３の螺合状態を保ったまま、第１歯部１９と第２歯部２０の噛み合わせを解き、雄ねじ部２２を軸にエクステンションバー９を回転させるといった簡単な操作でエクステンションバー９を変位させることができ、エクステンションバー９の位置調整を容易に行うことができる。
その他の効果は第１例と同様なので、第１例の説明を援用する。
【００５１】
図１１乃至図１９は、本発明に係るアーチェリー用照準器取付装置の実施の形態の第３例を示すものであり、図１１は第３例のアーチェリー用照準器取付装置の一部省略拡大右側面図、図１２は図１１に示すアーチェリー用照準器取付装置の分解説明図、図１３は図１１に示すエクステンションバーの一部省略拡大正面図、図１４は図１３のＸ−Ｘ断面図、図１５は図１１に示す筒状枠体の一方の筒壁部の内面側を示す説明図、図１６は図１１に示す板状歯部体の斜視図、図１７は図１１に示す雌ねじ部を示す斜視図、図１８は図１１に示すアーチェリー用照準器取付装置のエクステンションバーを回転させ上下方向に変位させ、変位位置に固定する状態を示す説明図、図１９は図１８に示すエクステンションバーを上下方向に変位させ固定したときの第１歯部と第２歯部との噛み合わせ状態を示す説明図である。
【００５２】
第３例のアーチェリー用照準器取付装置は、第１例のアーチェリー用照準器取付装置と基本構成において変わるところはなく、第１例と同一の構成については同一の符号を付してその説明を省略し、第１例と異なる構成についてのみ説明する。
【００５３】
第３例のアーチェリー用照準器取付装置５は、第１例と同様に先端側９ａにアーチェリー用照準器６が取り付けられるエクステンションバー９と、ハンドル３に取り付けられエクステンションバー９の後端側９ｂを支持する支持体１０と、支持体１０に支持されたエクステンションバー９を、エクステンションバー９の後端側９ｂ或いは後端側９ｂの延長線Ｌ上に設定された仮想回転軸Ａを軸心として回転させ、エクステンションバー９の先端側９ａの位置を一方のリム４ａ側又は他方のリム４ｂ側へ変位可能とする位置決め機構１１と、位置決め機構１１により変位されたエクステンションバー９を変位位置で支持体１０に固定する固定機構１２とを備えているが、支持体１０と、位置決め機構１１と、固定機構１２の構成が相違する。
【００５４】
第３例では、エクステンションバー９の後端側９ｂに、後述する雄ねじ部の先端部が係合する係合凹部２５が長手方向に複数形成されている。
【００５５】
支持体１０は、内部にエクステンションバー９を挿入可能な断面略矩形状の筒状枠体２６からなる。筒状枠体２６は、対向する一対の筒壁部２７を有し、そのうちの一方の筒壁部２７ａはねじ部材２８によりハンドル３に固定されている。そして、一方の筒壁部２７ａの内面はエクステンションバー９を支持する支持面１８となっている。
また、第３例の筒状枠体２６にあっては、一方の筒壁部２７ａと他方の筒壁部２７ｂ側が別体に形成され、分離可能に一体に組み立てられて筒状枠体２６を形成しているが、筒状枠体２６の構成はこれに限られない。
【００５６】
また、位置決め機構１１は、第３例では、支持体１０となる筒状枠体２６の支持面１８に設けられ、第１例と同様、仮想回転軸Ａから放射方向に延在し、エクステンションバー９の回転方向に一定のピッチで形成された第１歯部１９と、エクステンションバー９に設けられ第１歯部１９に噛合可能に形成された第２歯部２０とで構成されている。
【００５７】
また、固定機構１２は、第３例では、筒状枠体２６の他方の筒壁部２７ｂに設けられた雌ねじ部２９と、雌ねじ部２９に螺合される雄ねじ部３０とで構成されている。そして、雄ねじ部３０を雌ねじ部２９に螺合することにより、雄ねじ部３０の先端部をエクステンションバー９の係合凹部２５に係合させて筒状枠体２６の支持面１８にエクステンションバー９の後端側９ｂを押圧して締め付け固定するようになっている。
第３例では、筒状枠体２６の他方の筒壁部２７ｂに設けられた雌ねじ部２９は、他方の筒壁部２７ｂと別体として構成されている。
【００５８】
第３例では、仮想回転軸Ａは第１例と同様に、エクステンションバー９の後端側９ｂの延長線Ｌ上に設定されており、他方の筒壁部２７ｂには、仮想回転軸Ａを軸心として回転するエクステンションバー９の回転方向に沿った弧状の長穴からなる穴部３１が形成されている。
【００５９】
他方の筒壁部２７ｂと別体として構成された雌ねじ部２９は、他方の筒壁部２７ｂの内面に当接可能なフランジ部３２と、フランジ部３２から突出し他方の筒壁部２７ｂに形成された弧状の穴部３１に沿って移動自在に嵌合する筒状雌ねじ体３３とで形成されており、他方の筒壁部２７ｂの内面側に配置され、筒状雌ねじ体３３を穴部３１から突出させるようにして他方の筒壁部２７ｂに設けられている。
また、本例の筒状雌ねじ体３３は、後述する雄ねじ部３０を雌ねじ部２９に螺合するときに、雌ねじ部２９が回転することを防ぐため、穴部３１に嵌合する嵌合突片３３ａを備えている。
【００６０】
エクステンションバー９に設けられた第２歯部２０は、第１例と同様に、エクステンションバー９と別体として構成され、エクステンションバー９の後端側９ｂに取り付けられる板状歯部体３４に形成されている。板状歯部体３４は、エクステンションバー９との間での回転を阻止する回り止めが施されており、回り止めとして、板状歯部体３４の両側に、エクステンションバー９の両側面に係合する係合片３４ａが形成されている。
なお、第３例では、第２歯部２０がエクステンションバー９と別体として構成されているが、エクステンションバー９に第２歯部２０を直接形成してもよい。
【００６１】
このように構成された第３例のアーチェリー用照準器取付装置５は、次のように使用される。
ハンドル３に取り付けられている支持体１０となる筒状枠体２６内にエクステンションバー９の後端側９ｂを挿入し、仮想回転軸Ａから放射方向に延在しエクステンションバー９の回転方向に一定のピッチで支持面１８に形成された位置決め機構１１を構成する第１歯部１９に、第１歯部１９とともに位置決め機構１１を構成するエクステンションバー９に設けられた第２歯部２０を噛み合わせる。
【００６２】
そして、固定機構１２を構成する雄ねじ部３０を筒状枠体２６の他方の筒壁部２７ｂに設けられた雌ねじ部２９に螺合して貫通させ、雌ねじ部２９を貫通した雄ねじ部３０の先端部でエクステンションバー９の後端側９ｂを支持面１８に押圧して締め付け固定する。
このとき、エクステンションバー９の後端側９ｂには係合凹部２５が形成されているので、雄ねじ部３０の先端部を係合凹部２５に係合させることにより、筒状枠体２６の支持面１８にエクステンションバー９の後端側９ｂを安定した状態で押圧し締め付けることができる。
このようにして支持体１０にエクステンションバー９の後端側９ａを確実に固定することができる。
【００６３】
そして、エクステンションバー９を回転させて位置を変位させる場合は、雄ねじ部３０を後退させて先端部によるエクステンションバー９の後端側９ｂの押圧を解除し、第１歯部１９と第２歯部２０の噛み合わせを解き、第１歯部１９に噛み合わせる第２歯部２０の噛み合わせ位置を変えることにより、エクステンションバー９を仮想回転軸Ａを軸心とした回転方向における所定の位置に変位させることができる。
【００６４】
また、第３例では、第１例と同様に、エクステンションバー９に設けられた第２歯部２０は、エクステンションバー９と別体として構成され、エクステンションバー９の後端側９ｂに取り付けられる板状歯部体３４に形成されているので、エクステンションバー９に第２歯部２０を設けるための切削等の加工を施す必要がなく、また、第２歯部２０が摩耗した場合には、板状歯部体２３を交換することにより新しい第２歯部２０を容易に前記エクステンションバー９に設けることができる。
【００６５】
また、第３例では、仮想回転軸Ａは、エクステンションバー９の後端側９ｂの延長線Ｌ上に設定されており、筒状枠体２６の他方の筒壁部２７ｂに、仮想回転軸Ａを軸心として回転するエクステンションバー９の回転方向に沿った弧状の長穴からなる穴部３１が形成され、他方の筒壁部２７ｂに設けられた雌ねじ部２９は、他方の筒壁部２７ｂと別体として構成され、他方の筒壁部２７ｂの内面に当接可能なフランジ部３２と、フランジ部３２から突出し他方の筒壁部２７ｂに形成された弧状の穴部３１に沿って移動自在に嵌合する筒状雌ねじ体３３とで形成されており、他方の筒壁部２７ｂの内面側に配置され、筒状雌ねじ体３３を穴部３１から突出させるようにして他方の筒壁部２７ｂに設けられているので、エクステンションバー９の回転による位置の変更に伴い、エクステンションバー９の後端側９ｂ上に、雌ねじ部２９を弧状の穴部３１に沿って移動させることができ、エクステンションバー９を変位位置で筒状枠体２６に確実に固定することができる。
【００６６】
図２０，図２１は、本発明に係るアーチェリー用照準器取付装置の実施の形態の第４例を示すものであり、図２０は第４例のアーチェリー用照準器取付装置の一部省略拡大正面図、図２１は図２０に示す支持体の斜視図である。
第４例のアーチェリー用照準器取付装置は、第３例のアーチェリー用照準器取付装置と基本構成において変わるところはなく、第３例と同一の構成については同一の符号を付してその説明を省略し、第３例と異なる構成についてのみ説明する。
【００６７】
第４例と第３例の主な違いは、仮想回転軸Ａの位置及び支持体１０となる筒状枠体２６の他方の筒壁部２７ｂに設けられた雌ねじ部２９の構成にある。
第４例では、仮想回転軸Ａは筒状枠体２６の他方の筒壁部２７ｂに設けられた雌ねじ部２９上に設定されている。また、他方の筒壁部２７ｂに設けられた雌ねじ部２９は、他方の筒壁部２７ｂに直接形成されたねじ穴からなっている。
【００６８】
このように構成された第４例のアーチェリー用照準器取付装置５によれば、仮想回転軸Ａは筒状枠体２６の他方の筒壁部２７ｂに設けられた雌ねじ部２９上に設定されており、他方の筒壁部２７ｂに設けられた雌ねじ部２９は、他方の筒壁部２７ｂに直接形成されたねじ穴からなっているので、雄ねじ部３０を後退させて先端部によるエクステンションバー９の後端側９ｂの押圧を解除し、第１歯部１９と第２歯部２０の噛み合わせを解き、第１歯部１９に噛み合わせる第２歯部２０の噛み合わせ位置を変えるといった簡単な操作でエクステンションバー９を変位させることができ、エクステンションバー９の位置調整を容易に行うことができる。
その他の効果は第３例と同様なので、第３例の説明を援用する。
【符号の説明】
【００６９】
１  弓部
２  ストリングス
３  ハンドル
４ａ，４ｂ  リム
５  アーチェリー用照準器取付装置
６  アーチェリー用照準器
７  エレベーションバー
８  照準器本体
９  エクステンションバー
９ａ  エクステンションバーの先端側
９ｂ  エクステンションバーの後端側
１０  支持体
１１  位置決め機構
１２  固定機構
１３  雌ねじ部
１４  支持枠部
１５  脚部
１６  板状枠体
１７  ねじ部材
１８  支持面
１９  第１歯部
２０  第２歯部
２１  穴部
２２  雄ねじ部
２３  板状歯部体
２３ａ  係合片
２４  貫通孔
２５  係合凹部
２６  筒状枠体
２７  筒壁部
２７ａ  一方の筒壁部
２７ｂ  他方の筒壁部
２８  ねじ部材
２９  雌ねじ部
３０  雄ねじ部
３１  穴部
３２  フランジ部
３３  筒状雌ねじ体
３３ａ  嵌合突片
３４  板状歯部体
３４ａ  係合片
Ｓ  空間
Ｌ  延長線
Ａ  仮想回転軸
【図１】
2020118380.tif 000003
【図２】
2020118380.tif 000004
【図３】
2020118380.tif 000005
【図４】
2020118380.tif 000006
【図５】
2020118380.tif 000007
【図６】
2020118380.tif 000008
【図７】
2020118380.tif 000009
【図８】
2020118380.tif 000010
【図９】
2020118380.tif 000011
【図１０】
2020118380.tif 000012
【図１１】
2020118380.tif 000013
【図１２】
2020118380.tif 000014
【図１３】
2020118380.tif 000015
【図１４】
2020118380.tif 000016
【図１５】
2020118380.tif 000017
【図１６】
2020118380.tif 000018
【図１７】
2020118380.tif 000019
【図１８】
2020118380.tif 000020
【図１９】
2020118380.tif 000021
【図２０】
2020118380.tif 000022
【図２１】
2020118380.tif 000023